(57)【要約】【課題】    本発明は、好気性微生物を使用してし尿の処理をするトイレにおいて、撹拌・混合などの駆動機構を必要とせず、メンテナンス労力を軽減させることが出来るとともに臭気の発生のない衛生的な使い易いトイレを提供するものである。【解決手段】  本発明の簡易トイレ１００は水で希釈した微生物消臭剤を初期状態で便槽容量の５〜１０％充填した便槽１０と、便槽１０に連通する連通孔６００，６１０上に設置する洋式便器、小便器６０，６１を有する建５０屋よりなる。便槽１０に充填される微生物消臭剤は約５〜１０％の希釈液とする。また、建屋内に噴霧器６３を備え、噴霧器６３内にも３％の微生物消臭剤希釈液を充填して、使用後に、便器壁面に噴霧することにより、建屋内の消臭を実行する。【選択図】        図１
2005058633.tif 000002
【特許請求の範囲】
【請求項１】
便槽と、便槽に連通する連通孔上に設置する大・小便器を有する建屋とよりなる簡易トイレにおいて、
便槽は水で希釈した微生物消臭剤を初期状態で便槽容量の５〜１０％充填してなる簡易トイレ。
【請求項２】
便槽に充填される微生物消臭剤は、約５〜１０％の希釈液であることを特徴とする請求項１記載の簡易トイレ。
【請求項３】
建屋には約３％の微生物消臭剤希釈液を充填した噴霧器を備え、使用後に大・小便器内壁面に噴霧することにより、建屋内の消臭をなすことを特徴とする請求項１記載の簡易トイレ。
【請求項４】
建屋に設置される少なくとも大便器は、その両側に一対の支持扞を備え、該支持扞は横開きヒンジにより水平方向に拡開自在に配設されてなる請求項１記載の簡易トイレ。
【請求項５】
建屋の外表面にソーラーシステムを利用したパネルを配設してなる請求項１記載の簡易トイレ。
【発明の詳細な説明】
【技術分野】
【０００１】
し尿が便槽内のみで処理できるトイレに関し、特に、化学薬品を使用せずに臭気を除き浄化処理するとともに使いやすいトイレに関する。
【背景技術】
【０００２】
戸外用の簡易トイレとして、し尿を化学薬品を使用せず、自然素材のろ過材や好気性微生物の複合菌により臭いを除去し、浄化分解する技術が特許文献１に開示されている。
また、初期使用時に好気性発酵微生物を植えつけた有機炭素含有量の多いおがくずを便槽内に充填し、投下されるし尿をこの好気性発酵微生物により分解消滅させる技術が特許文献２、特許文献３に開示されている。
【特許文献１】特開２００２−２８２８９５号公報
【特許文献２】特開平１１−２５３３５３号公報
【特許文献３】特開２０００−２４６２１１号公報
【発明の開示】
【発明が解決しようとする課題】
【０００３】
ここで、特許文献１に開示される技術は便槽に投下されたし尿は固液分離機で固分と液分に分離され、固分は好気性と嫌気性の微生物の複合菌が定着する床剤を装填した撹拌分離器で分解処理するものであって、固液分離機および撹拌分離器を設置しなければならず大きな装置が必要となった。また、装置の駆動機構および電力を必要とし、簡易トイレであっても電力の供給されている場所でしか使用できなかった。
また、特許文献２、特許文献３に開示される技術もおがくずともども廃棄有機物を撹拌・混合させながら巡回させて微生物の活性化を促すことによりし尿の分解処理を実行する装置であり、この装置も大きな駆動力を必要とするものである。
このように、従来のおが屑と微生物を使用したトイレにおいては、撹拌するための駆動装置、発酵を助ける加熱装置などの機構および電力を必要とするとともに、装置の破損管理、おが屑の補給、交換などのメンテナンスを必要とし、さらに、電気代、おが屑代、また管理費用など多大な維持コストがかかった。
【０００４】
本発明は、好気性微生物を使用してし尿の処理をするトイレにおいて、撹拌・混合などの駆動機構を必要とせず、メンテナンス労力を軽減させることが出来るとともに臭気の発生のない衛生的な使い易いトイレを提供するものである。
【課題を解決するための手段】
【０００５】
本発明の簡易トイレは水で希釈した微生物消臭剤を初期状態で便槽容量の５〜１０％充填した便槽と、便槽に連通する連通孔上に設置する大小便器を有する建屋よりなる。
また、便槽に充填される微生物消臭剤は約５〜１０％の希釈液とする構成、また、建屋内に噴霧器を配設、噴霧器内にも３％の微生物消臭剤希釈液を充填して、使用後に、便器壁面に噴霧することにより、建屋内の消臭を実行する。
さらに、洋式便器はその両側に一対の支持扞を横開きヒンジにより水平方向に拡開できる構成となっている。
【発明の効果】
【０００６】
本発明の簡易トイレは便槽内に希釈した微生物消臭剤を５〜１０％充填するのみで臭気のない衛生的なトイレを提供するものである。また、撹拌・混合装置を必要とせず、さらに有機物の発酵熱により水分は蒸発するので、汲み取りの手間がいらない。また、微生物消臭剤はそのまま有機物の分解菌として繰り返し使用できるので、消臭剤の追加などのメンテナンスを必要としない。
【発明を実施するための最良の形態】
【０００７】
本発明の実施の形態を図面を参照して詳述する。
図１は簡易トイレ１００の全体説明断面図、建屋床上面図、洋式・小便器の配設説明図、図４は噴霧器の全体説明図である。
トイレ１００は便槽１０と便槽１０の上に配置する建屋５０で構成されている。
便槽１０は鉄板に亜鉛めっき処理した板状体で升型に構成される。
升型便槽１０の上面には建屋５０の床部材１５を配設する。
建屋５０は１方を開口して３方を囲周する壁部材５３、開口面に配設される引き戸５５、壁部材５３および引き戸５５の上面に配設される屋根部５１で形成されている。
建屋５０の床部材１５上には洋式便器６０、小便器６１、噴霧器６３が設置されている。そして、洋式便器６０は床部材１５に開口した貫通孔６００を介して便槽１０内に連通している。小便器６１は床部材１５に開口した貫通孔６１０を介して便槽１０内に連通している。また、床部材１５には便槽１０内を点検するための点検口１５０を設け、蓋で被覆されている。小便器６１と噴霧器６３は引き戸５５を配設する入口から入った一側面、例えば図面に示す左側面に隣接して設置する。そして、引き戸５５の対壁面と小便器６１と噴霧器６３を配設する壁面との角部分の三角スペースに収納部４０を設置する。収納部４０には臭気抜きダクト２０、充電バッテリー（図示せず）、備品などを収納する。そして、洋式便器６０は収納部４０の前面であって矩形状の建屋５０の対角線上に設置される。
洋式便器６０の両側には一対の支持扞７０を配設する。支持扞７０は横開きのヒンジにより矢印ａで図示する壁５３（水平）方向に開閉可能な構成となっている。
壁部材５３はアルコール手洗い器６５、ペーパホルダー６７、棚６８、そして、壁面に平行する位置から壁面に直角の位置に移動・折りたたみ出来る板状のベビーベット６９等を配設している。
さらに、便槽１０内に開口する臭気抜きダクト２０の排気口２３と、建屋内への外気の供給をなす吸気口２５を穿孔している。
屋根部５１にはソーラーパネル５１０を載置し、ソーラ発電システムを利用した発電は収納ボックス４０内に収納されている充電バッテリーに充電される。
【０００８】
このように形成されるトイレ１００であって、便槽１０内には初期状態で槽容量の５〜１０％の微生物消臭剤に水を加えた希釈液ＷとチップＰを充填する。希釈液としては、好気性の微生物を主体とする消臭剤に水を加えてほぼ５〜１０％の希釈液としている。例えば便槽１０の有効容積１０００リットルであれば１００リットルの微生物消臭剤の希釈液Ｗと５リットルのチップＰを充填する。ここで、微生物消臭剤としては微生物が作り出す酵素の分解力を利用したアースラブ（アースラブ・ニッポン社製  商標）を使用。
また、噴霧器６３は内圧を高めたボンベ６３０と噴射ノズル６３３よりなり、ノズル６３３を開口するストッパー６３５の操作により、ボンベ６３０内の高圧内容物が噴射する構成となっている。使用後にはポンプ６３１を操作して減圧したボンベ内圧を高める。このボンベ６３０内にも微生物消臭剤の約３％希釈液を充填している。
【０００９】
この微生物消臭剤の希釈液Ｗと５リットルのチップＰを充填した便槽１０に洋式便器６０あるいは小便器６１の貫通孔６００、６１０から糞尿等の有機物が投入されると、微生物消臭剤の微生物と分解酵素の働きで有機物は分解されて、約２週間で水溶体となる。有機物が分解・発酵される段階で発生する中性のイソドール・スカドール・パラクレゾール等の臭気は、微生物消臭剤の希釈液中にあって希釈液が浸漬したチップに吸収されチップ中の微生物により分解され、脱臭される。すなわち、硫化水素はチップに吸収され光合成細菌により加水分解されて、炭水化物・水・硫黄に分解される。メタンは炭水化物に、アンモニアは炭水化物・水・窒素ガスに分解され、除去される。そして、活性化した微生物消臭剤はそのまま次の分解菌として繰り返し有機物を分解して水溶化するとともに、臭気の分解作用をなす。さらに、発酵段階での発熱（４０℃程度）により便槽１０内の水分は蒸発するので、増量しない。
【００１０】
しかし、便槽の容量以上の使用をした場合は汲み取りが必要となる。そこで、便槽の容量に対する使用可能人数を予め設定、開き戸の開閉をカウントするカウンターを配設、戸の開閉値からおおよその使用人数を推測してメンテンス時期を判断する構成とすることにより、管理がしやすくなる。
また、洋式便器６０および小便器６１の内壁面に付着する汚物は、使用後に噴霧器６３内に充填されている微生物消臭剤の希釈液をノズル６３３より噴霧することにより、便槽内の消臭作用と同様作用により分解除去される。
さらに、便槽１０内の発酵加熱により昇温した空気は排気ダクト２０から外気に排出され槽内は低圧となる。常圧の部屋５０の空気は矢印ｂで示すように貫通孔６００、６１０を通って低圧の便槽１０内に流入する。部屋５０には供給孔２５から外気が供給される。このように、部屋内の臭気は貫通孔６００、６１０から便槽内に、便槽内の空気は排気ダクト２０から外気へと循環し、部屋内の空気は自然還流により新鮮に保持される。
また、アルコール手洗い器６５はアルコールの洗浄力と蒸発力により、十分な殺菌・洗浄をなしかつ水滴などにより床部材を汚染しない。
【００１１】
便槽１０は少量の空気を連続的に注入する曝気処理を行なうことにより、好気性微生物を活性化させ、さらに発酵・分解処理効果を高めることが出来る。このとき、ソーラーパネルによるソーラ発電を利用することにより、曝気用のモータ、室内電灯などをまかなうことが出来、電力供給施設のないところでもこのトイレを設置できる。
【００１２】
また、洋式便器６０が入り口に向かって斜めに配置されているので、例えば車椅子による使用者の場合、移動距離が短く、方向転換が容易となる。さらに支持扞７０が水平方向に開閉できるので、固定式の支持扞の場合のように行動が支持扞により規制されることなく、不必要な場合は拡開することにより、行動が楽になる。
さらに、寒冷地の場合、便槽の外壁に断熱材を配設、あるいはヒーターを配設することにより内部の水分の凍結を防止する。ここで、ヒーターの電力はソーラーシステムにより得られる電力によりまかなうことができる。
【実施例１】
【００１３】
本発明の出願人は以下の要領で、汲み取り式の便槽と便器配設建て屋よりなる仮設のトイレと本発明のトイレとの臭気強度の比較実験を実行した。
臭気強度は表１に示す六段階臭気強度表示方法に定められている。
【表１】
2005058633.tif 000003
【００１４】
しかし、人間の臭覚による測定は、臭いに対する感じ方において個人差があるため、臭いを数値化し、臭気指数としている。
臭気指数とは臭気が感じられなくなるまで気体または水を希釈したときの希釈倍数（臭気濃度）の値の対数に１０を乗じた値である。
臭気指数＝１０×ｌｏｇ（臭気濃度）
臭気強度と臭気指数の関係を表２に示す。
【表２】
2005058633.tif 000004
【００１５】
また、臭気強度とアンモニア濃度（ｐｐｍ）の関係を表３に示す
【表３】
2005058633.tif 000005
【００１６】
ここで数種のトイレのアンモニア濃度を測定し、臭気強度の比較をした。
比較仮設トイレＡ，Ｂ，Ｃとの臭気強度の比較
外気温度は１７．２℃
本発明のトイレ    臭気強度検出限界値以下（測定アンモニア濃度  マイナス）
仮設トイレＡ      臭気強度３．４（測定アンモニア濃度  ４．３ｐｐｍ）
仮設トイレＢ      臭気強度３．６（測定アンモニア濃度  ５．５ｐｐｍ）
仮設トイレＣ      臭気強度４．１（測定アンモニア濃度  １１．８ｐｐｍ）
上記の測定結果となり、確実に本発明のトイレは臭気がないことが実証された。
さらに、上記仮設のトイレと従来技術に開示されている微生物を使用するトイレと本発明のトイレの設備の有否を表４に示す。
【表４】
2005058633.tif 000006
【産業上の利用可能性】
【００１７】
以上説明したように、本発明のトイレは駆動機構を必要とせず電源が不要であって経済的に設置できる。さらに、移動性が良く、公園・ゴルフ場・山岳地帯など電力供給、水道施設の無い場所に設置しても臭いが無く衛生的であり、メンテナンスが不要であるので経費がかからない。
【図面の簡単な説明】
【００１８】
【図１】本発明の簡易トイレの断面説明図
【図２】建屋の屋根部を省いた上面図
【図３】洋式・小便器の配設説明図
【図４】噴霧器の全体説明図
【符号の説明】
【００１９】
１０  便槽
１５  床部材
２０  臭気抜きダクト
２５  吸気口
５０  建屋
５１  屋根部
６０  洋式便器
６３  噴霧器
７０  支持扞
１００  簡易トイレ
６００  連通孔
６１０  連通孔
【図１】
2005058633.tif 000007
【図２】
2005058633.tif 000008
【図３】
2005058633.tif 000009
【図４】
2005058633.tif 000010